(57)【特許請求の範囲】
【請求項１】
ベッドと、ベッドの周縁部の一部に固定されたベースと、前記ベースに対して着脱自在であるアタッチメントとを備える医療台であって、
前記アタッチメントは、
前記ベース上に載置される保持部と、
前記ベースに対して着脱自在に保持固定するロック機構部とを有し、
前記保持部は、前記ベース上に載置されたときに、前記ベースに対して上下方向の位置を規制する上下位置規制部材と、前記ベースに対して前後方向の位置を規制する前後位置規制部材と、前記ベースに対して左右方向の位置を規制する左右位置規制部材とを有し、
前記左右位置規制部材には、前記ベースの両面部に嵌合する溝が形成され、該溝と前記ベースの両面部との嵌合により前記左右方向の位置が規制される医療台。
【請求項２】
前記左右位置規制部材は、前記前後位置規制部材に固定され、前記ベースの端部と嵌合可能に設けられる請求項１に記載の医療台。
【請求項３】
前記ロック機構部は、
前記保持部に対してロック軸を中心として回転自在に取り付けられ、所定の固定位置に回動されることにより前記保持部が前記ベースに保持された状態をロックするアンダーロックプレートと、
前記アンダーロックプレートを前記固定位置にロックするロック位置とこのロックを解除して前記アンダーロックプレートの回動を許容する所定の解除位置との間を変移自在に前記保持部に取り付けられたレバープレートと、
前記アンダーロックプレートを前記固定位置に回動させたときに前記ベースの両面部を押圧可能な押圧部材とを有する請求項１又は２に記載の医療台。
【請求項４】
前記アンダーロックプレートは、前記固定位置に回動されることにより前記ベースの下面に対向して配置されるアンダープレート部を有し、
前記押圧部材は、前記アンダープレート部に取り付けられたバネ部材により構成され、
前記アンダーロックプレートが前記固定位置に回動されることにより前記バネ部材が前記ベースの前記両面部に押圧される構成とされる請求項３に記載の医療台。
【請求項５】
前記ロック機構部は、
前記保持部が前記ベース上に載置されたときに、
前記ベースの両面部に対向して配置される挟持用サイドプレート部を備え、
前記押圧部材は、前記挟持用サイドプレート部に突没自在に取り付けられ、
前記アンダーロックプレートは、前記固定位置に回動されることにより前記挟持用サイドプレートの外側に嵌合して前記押圧部材を前記挟持用サイドプレート部から内方に突出させて前記ベースに押圧する押圧用サイドプレートを有しており、
前記ロック機構部に、前記押圧部材を離間させるように付勢するバネ部材が備えられる請求項３に記載の医療台。
【請求項６】
前記アタッチメントに、
前記ベッドの側部に沿って延び、両端に前記ロック機構部が固定された支持バーと、
該支持バー回りに回動自在に設けられた本体部と、
該本体部を任意の回動位置で固定保持するクラッチ機構部とが備えられる請求項１から５のいずれか一項に記載の医療台。
【請求項７】
前記クラッチ機構部は、
前記支持バーの長手方向に対向して互いに係合する歯面を有する前部クラッチ部材及び後部クラッチ部材と、これら前部クラッチ部材及び後部クラッチ部材の前記歯面同士を係合させた噛合位置に保持する固定部材とを有する請求項６に記載の医療台。
【発明の詳細な説明】
【技術分野】
【０００１】
本発明は、産科・婦人科における医療行為に用いられる検診台、分娩台などの医療台に関する。
【背景技術】
【０００２】
従来、産科・婦人科において、分娩、診察、治療等の際に患者や妊産婦など対象者の体を支える医療台が用いられている。医療台は、対象者の胴体を支持する背板（背もたれ）、腰を支持する胴受（座面・腰板）、脚を支持する支脚器（踵受、股受）等を備え、これらの角度や位置を必要に応じて変更できる構成により、対象者の姿勢を安定して保つことを可能にしている。
【０００３】
特許文献１には、背もたれの両側に着脱自在に取り付けられるサイドフェンスを備える分娩台が開示されている。
【先行技術文献】
【特許文献】
【０００４】
【特許文献１】特開２０１１‐１６１０７５号公報
【発明の概要】
【発明が解決しようとする課題】
【０００５】
医療台においては、患者の負担軽減や安全性の確保、処置の作業性の向上などのため、サイドフェンス、ベッドの補助台等を安全かつ確実に必要に応じて着脱自在である構造が求められている。
【０００６】
しかしながら、特許文献１においては、サイドフェンスが背もたれの両側に着脱自在であると記載されているが、着脱構造については開示されていない。この種の着脱構造の場合、容易に着脱できるとともに、取り付けたときには、これを確実に固定できる構造であることが求められる。
【０００７】
本発明は、このような事情に鑑みてなされたもので、ベッド側部に対してサイドフェンスなどのアタッチメントを容易に着脱可能とするとともに、取り付けられたアタッチメントを確実に固定できる医療台を提供することを目的とする。
【課題を解決するための手段】
【０００８】
本発明は、ベッドと、ベッドの周縁部の一部に固定されたベースと、前記ベースに対して着脱自在であるアタッチメントとを備える医療台であって、前記アタッチメントは、前記ベース上に載置される保持部と、前記ベースに対して着脱自在に保持固定するロック機構部とを有し、前記保持部は、前記ベース上に載置されたときに、前記ベースに対して上下方向の位置を規制する上下位置規制部材と、前記ベースに対して前後方向の位置を規制する前後位置規制部材と、前記ベースに対して左右方向の位置を規制する左右位置規制部材とを有し、前記左右位置規制部材には、前記ベースの両面部に嵌合する溝が形成され、該溝と前記ベースの両面部との嵌合により前記左右方向の位置が規制される。
【０００９】
この医療台によれば、アタッチメントは、保持部を構成する上下位置規制部材によりベースに対して上下方向に位置決めされ、前後位置規制部材によりベースの前後方向に位置決めされ、左右方向の位置を規制する左右位置規制部材によりベースの左右方向に位置決めされる。すなわち、保持部を構成する上下位置規制部材、前後位置規制部材及び左右位置規制部材により、互いに直交する第１〜第３の軸方向（上下方向、前後方向、左右方向）を規定して、アタッチメントの各軸方向への動きを規制することとしている。これにより、保持部をベッドのベースに載置することにより、医療台本体にアタッチメントを容易に装着することができる。また、ロック機構部により、ベースに装着した保持部をそのベースに確実に固定することができ、ロック機構部を解除すれば、アタッチメントをベッドから容易に取り外すことができる。
【００１１】
本発明の医療台において、前記左右位置規制部材は、前記前後位置規制部材に固定され、前記ベースの端部と嵌合可能に設けられるとよい。
【００１２】
アタッチメントをベースに装着する際、すなわち、溝を有する左右位置規制部材をベースに対して位置合わせして嵌合する際に、ねじれ等の力が加わった場合に左右位置規制部材を変形させるおそれがある。このような左右位置規制部材の変形を抑制するために、予め左右位置規制部材を肉厚に設ける等して剛性を高めることが考えられるが、この場合には、アタッチメント全体の重量を増加させることに繋がり、好ましくない。
そこで、本発明の医療台においては、左右位置規制部材を前後位置規制部材に固定して設けることとし、ねじれ等の力が加わった際において、左右位置規制部材を変形しにくくすることしている。
【００１３】
本発明の医療台において、前記ロック機構部は、前記保持部に対してロック軸を中心として回転自在に取り付けられ、所定の固定位置に回動されることにより前記保持部が前記ベースに保持された状態をロックするアンダーロックプレートと、前記アンダーロックプレートを前記固定位置にロックするロック位置とこのロックを解除して前記アンダーロックプレートの回動を許容する所定の解除位置との間を変移自在に前記保持部に取り付けられたレバープレートと、前記アンダーロックプレートを前記固定位置に回動させたときに前記ベースの両面部を押圧可能な押圧部材とを有する。
【００１４】
アンダーロックプレートを固定位置まで回動させ、レバープレートをロック位置に変位させることにより、アンダーロックプレートの回動がロックされ、アタッチメントがベッドのベースに確実に固定される。この状態においては、レバープレートを解除位置に戻すように変位させない限り、アタッチメントがベースから外れることがない。そして、レバープレートを解除位置に変位させるだけでアンダーロックプレートのロック状態が解除でき、アタッチメントをベッドから容易に取り外すことができる。
また、アンダーロックプレートを固定位置まで回動させることによって保持部をベースに保持された状態にロックするとともに、押圧部材をベースに押圧させてベースを挟持することで、押圧部材によりベースとアンダーロックプレートとのガタつきを吸収し、アタッチメントをベースに安定した状態で固定することができる。
【００１５】
本発明の医療台において、前記アンダーロックプレートは、前記固定位置に回動されることにより前記ベースの下面部に対向して配置されるアンダープレート部を有し、前記押圧部材は、前記アンダープレート部に取り付けられたバネ部材により構成され、前記アンダーロックプレートが前記固定位置に回動されることにより前記バネ部材が前記ベースの前記両面部に押圧される構成とされる。
【００１６】
この場合、アンダーロックプレートを固定位置まで回動させることによって、アンダープレート部に取り付けられた押圧部材をベースに押圧させてベースを挟持することができ、保持部をベースに保持された状態にロックすることができる。また、押圧部材にバネ部材（例えば、板バネ）を採用することで、構造を簡略化できる。
【００１７】
本発明の別の実施形態における医療台において、前記ロック機構部は、前記保持部が前記ベース上に載置されたときに、前記ベースの両面部に対向して配置される挟持用サイドプレート部を備え、前記押圧部材は、前記挟持用サイドプレート部に突没自在に取り付けられ、前記アンダーロックプレートは、前記固定位置に回動されることにより前記挟持用サイドプレートの外側に嵌合して前記押圧部材を前記挟持用サイドプレート部から内方に突出させて前記ベースに押圧する押圧用サイドプレートを有しており、前記ロック機構部に、前記押圧部材を離間させるように付勢するバネ部材が備えられる。
【００１８】
この場合、回動するアンダーロックプレートに押圧部材を設けることなく、ベース上に載置された保持部側に押圧部材を設けることができる。そして、アンダーロックプレートと挟持用サイドプレート部との嵌合によって押圧部材をベースに押圧させてベースを挟持することができ、保持部をベースに保持された状態にロックすることができる。また、ロック機構部によるロック状態が解除された際には、バネ部材により押圧部材がベースの両面部から離間するので、アタッチメントの着脱が容易である。
【００１９】
本発明の医療台において、前記アタッチメントに、前記ベッドの側部に沿って延び、両端に前記ロック機構部が固定された支持バーと、該支持バー回りに回動自在に設けられた本体部と、該本体部を任意の回動位置で固定保持するクラッチ機構部とが備えられることが望ましい。
この場合、本体部の用途や使用状況に応じて角度を変更することができる。
【００２０】
本発明の医療台において、前記クラッチ機構部は、前記支持バーの長手方向に対向して互いに係合する歯面を有する前部クラッチ部材及び後部クラッチ部材と、これら前部クラッチ部材及び後部クラッチ部材の前記歯面同士を係合させた噛合位置に保持する固定部材とを有する。
【００２１】
前部クラッチ部材と後部クラッチ部材の互いの歯面の係合を解除し、歯面を離間させた位置においては、本体部をベッドの上面に対して任意の角度に回動させることができる。一方、前部クラッチ部材と後部クラッチ部材の互いの歯面同士を係合させた状態においては、本体部が任意の角度で固定される。
【発明の効果】
【００２２】
本発明の医療台によれば、ベッド側部に対してサイドフェンスなどのアタッチメントを容易に着脱可能であり、取り付けられたアタッチメントを確実に固定できる。
【図面の簡単な説明】
【００２３】
【図１】本発明の第１実施形態に係る医療台において、アタッチメントがベッドに装着された状態を示す斜視図である。
【図２】図１に示す医療台において、アタッチメントがベッドから取り外された状態を示す斜視図である。
【図３】図１に示す医療台において、アタッチメントの本体部の角度を変更した状態を示す斜視図である。
【図４】図２に示すアタッチメントがベッドから取り外された状態の医療台において、ロック機構部の要部を示すベッド長手方向に沿う縦断面図である。
【図５】図１に示すアタッチメントがベッドに装着された状態の医療台において、ロック機構部の要部を示すベッド長手方向に沿う縦断面図である。
【図６】アタッチメントがベッドに装着された状態のロック機構部の要部を示す、図５のＡ−Ａ線に沿う横断面図である。
【図７】アタッチメントがベッドに装着された状態において支持バーの回転範囲を説明する側面図である。
【図８】ロック状態のロック機構部の要部を拡大して示す、図５のＡ−Ａ線に沿う横断面図である。
【図９】回動ロック状態のロック機構部の要部を示す、図６のＢ−Ｂ線に沿う縦断面図である。
【図１０】レバープレートが固定位置から解除位置まで回動し、回動ロック状態が解除された状態のロック機構部の要部を示す、図６のＢ−Ｂ線に沿う縦断面図である。
【図１１】回動ロック状態が解除され、アンダーロックプレートが固定位置から回動された状態のロック機構部の要部を示す、図６のＢ−Ｂ線に沿う縦断面図である。
【図１２】アンダーロックプレートによる押圧が解除され、ベースからアタッチメントを取り外すことが可能な状態のロック機構部の要部を示す、図６のＢ−Ｂ線に沿う縦断面図である。
【図１３】ロック機構部による回動ロック状態が解除され、レバープレートが操作されていない状態のロック機構部の要部を示す、図６のＢ−Ｂ線に沿う縦断面図である。
【図１４】本体部が任意の回動位置で固定保持されたロック状態のクラッチ機構部を示す、図７のＣ−Ｃ線に沿う縦断面図である。
【図１５】本体部のロック状態が解除され、回動可能な状態のクラッチ機構部を示す、図７のＣ−Ｃ線に沿う縦断面図である。
【図１６】本発明の第２実施形態に係る医療台において、回動ロック状態のロック機構部の要部を示す、図６のＢ−Ｂ線に沿う縦断面図に相当する縦断面図である。
【図１７】図１６に示す第２実施形態の医療台のロック機構部の要部において、ロック機構部による回動ロック状態が解除され、レバープレートが操作されていない状態を示す縦断面図である。
【図１８】ロック状態が解除されたロック機構部の要部を拡大して示す、図１６のＤ−Ｄ線に沿う横断面図である。
【図１９】ロック状態のロック機構部の要部を拡大して示す、図１６のＤ−Ｄ線に沿う横断面図である。
【図２０】図１６のＥ−Ｅ線に沿う横断面図である。
【発明を実施するための形態】
【００２４】
以下、本発明の実施形態に係る医療台１０について、図面を参照して説明する。図１〜図３に示すように、医療台１０は、ベッド１２と、ベッド１２の側部に固定されたベース２１を有する支持部２０と、支持部２０のベース２１に対して着脱自在であるアタッチメント３０とを備える。
アタッチメント３０は、フェンス、テーブル等（本実施形態ではフェンス）の機能部４０と、この機能部４０をベース２１上に載置する保持部６０と、保持部６０がベース２１上に載置された状態でベース２１に対して着脱自在に保持固定するロック機構部５０とを有する。図２に示すように、支持部２０のベース２１は、ベッド１２の長手方向（前後方向）に沿って延びるレール状に形成されており、ベッド１２の側部から突出する支持棒部２２により固定されている。また、保持部６０及びロック機構部５０は、ベース２１の両端部に対応して、アタッチメント３０の両側にそれぞれ設けられている。
【００２５】
この医療台１０によれば、図４および図５に示すようにアタッチメント３０の保持部６０をベッド１２の支持部２０のベース２１上に載置し、ロック機構部５０をロックさせるだけの容易な操作により、アタッチメント３０が支持部２０に対して固定される。そして、ロック機構部５０のロック状態を解除する操作を行わない限り、アタッチメント３０がベッド１２から外れることがない。
【００２６】
また、この医療台１０において、アタッチメント３０を構成する機能部４０には、図１〜図３に示すように、ベッド１２の側部に沿って延び、両端にロック機構部５０が固定された支持バー４２と、この支持バー４２の回りに回動自在に設けられた本体部４４と、この本体部４４を、図７に示すように、任意の回動位置で固定保持するクラッチ機構部４６とが備えられている。
【００２７】
本実施形態では、本体部４４はベッド１２の側部に立設されるフェンスであるが、図３に示すようにベッド１２の上面と同一面をなすように回動させた角度で保持することにより、補助台として使用することも可能である。また、本体部４４が支持バー４２の下方に向かうように、図１に示す状態から１８０°回動させて保持させることにより、アタッチメント３０をベッド１２から取り外さずにベッド１２の側部を開放させることもできる。なお、支持バー４２の上にはマット４２ａが設けられる。
【００２８】
また、本実施形態ではベッド１２の両側部にそれぞれフェンスとしての機能部４０を有するアタッチメント３０が取り付けられる構成としたが、機能部４０の形状、用途については、種々の変更が可能である。例えば、機能部４０とベッド１２とが略同一平面を形成するように、機能部４０をベッド１２の側方に倒すことにより、点滴等の際に患者の腕を置く上肢台として機能部４０を使用することもできる。また、ベッド１２の左右に設置される支持部２０に着脱可能に設けられる保持部６０に、テーブルの脚部を取り付けるとともに、これら左右の脚部をベッド１２を跨ぐようにして連結する天板を取り付けることにより、左右の脚部と天板とで構成されるテーブルをアタッチメントの機能部（本体部）として構成することもできる。
【００２９】
（保持部）
アタッチメント３０の支持部２０への装着は、ベース２１上に保持部６０を載置することにより、アタッチメント３０が所定の位置に正確に位置決めされて保持される。
保持部６０は、図４に示すように、ベース２１上に搭載されたときに、ベース２１に対して上下方向の位置を規制する上下位置規制部材６１と、ベース２１に対して前後方向の位置を規制する前後位置規制部材６２と、ベース２１に対して左右方向の位置を規制する左右位置規制部材とを備え、これら上下位置規制部材６１、前後位置規制部材６２及び左右位置規制部材６３により、互いに直交する第１〜第３の軸方向（上下方向、前後方向、左右方向）を規定して、アタッチメント３０の各軸方向への動きを規制することとしている。これら上下位置規制部材６１、前後位置規制部材６２及び左右位置規制部材６３は、支持バー４２に固定されたフレーム部材６５を介して、支持バー４２に取り付けられている。
【００３０】
フレーム部材６５は、支持バー４２の表面に固定されるトッププレート部６５ａと、このトッププレート部６５ａの両側に立設されるサイドプレート部６５ｂとを有する。
上下位置規制部材６１は板状、柱状等の平面を有する部材により形成され、トッププレート部６５ａの内面に固定されている。そして、保持部６０がベース２１上に載置されたときに、ベース２１の上面部が上下位置規制部材６１に当接することにより、アタッチメント３０は、ベース２１に対して上下方向に位置決めがなされるようになっている。
【００３１】
また、前後位置規制部材６２は板状に形成され、その平面方向が上下位置規制部材６１と直交する方向に沿って配置されている。そして、保持部６０がベース２１上に載置されたときに、ベース２１の端面部を前後位置規制部材６２に当接させることにより、アタッチメント３０は、ベース２１に対して前後方向の移動が規制されて、位置決めがなされるようになっている。なお、前後位置規制部材６２は、前述したように、ベース２１の両端部に対応してアタッチメント３０の両側にそれぞれ設けられており、これら前後位置規制部材６２どうしの間隔は、ベース２１の長さよりも若干大きく設けられていることから、ベース２１上に保持部６０を載置した際に、前後位置規制部材６２とベース２１の端面部とは当接せずに、若干のクリアランスを生じる場合もある。このように、ベース２１と前後位置規制部材６２との間に若干のクリアランスを設けることにより、アタッチメント３０をベース２１上に容易に装着することができるようになっている。
【００３２】
また、左右位置規制部材６３は板状に形成され、前後位置規制部材６２と平行に配置されている。そして、左右位置規制部材６３には、保持部６０がベース２１上に載置されたときに、ベース２１を挿入する溝６３ａ、すなわち下方に開口する溝６３ａ（切欠き）が設けられており、ベース２１を溝６３ａ内に嵌合することにより、アタッチメント３０は、ベース２１に対して幅方向（左右方向、ベース２１の厚み方向）に位置決めがなされるようになっている。なお、左右位置規制部材６３の溝６３ａは、上下位置規制部材６１の表面（下面）よりも深く切り込まれた形状とされており、上下位置規制部材６１をベース２１の上面部に当接させた際において、その上下方向において、ベース２１との間に隙間が設けられるようになっている。
【００３３】
また、図９〜図１３に示すように、左右位置規制部材６３は、前後位置規制部材６２に溶接により固定されており、溝６３ａがベース２１の端部においてベース２１と嵌合可能に設けられている。さらに、溝６３ａの開口部側には面取り部６３ｂが設けられており、ベース２１が溝６３ａ内に誘導され、容易に装着できるようになっている。
このように、上下位置規制部材６１と前後位置規制部材６２と左右位置規制部材６３とを組み合わせることにより、医療台１０本体に対してアタッチメント３０が所定の位置に保持されるようになっている。
【００３４】
（ロック機構部）
そして、アタッチメント３０は、図５に示すように保持部６０がベース２１上に載置された状態において、ロック機構部５０により、ベース２１に対して着脱自在に保持固定される。ロック機構部５０は、図４及び図５に示すように、ベース２１を保持した状態に保持部６０を固定するアンダーロックプレート７０と、保持部６０を固定した状態にアンダーロックプレート７０をロックするために後述するように回動可能なレバープレート８０と、レバープレート８０を回動付勢する付勢部材８４と、付勢されたレバープレート８０の回動範囲を規制する回動規制部９０とを備える。
【００３５】
より詳細には、ロック機構部５０は、図８〜図１３に示すように、フレーム部材６５及び保持部６０に対してロック軸７２を中心として回動自在に取り付けられ、所定の固定位置（図９に示す位置）に回動されることにより図８に示すように保持部６０がベース２１に保持された状態をロックするアンダーロックプレート７０と；ロック軸７２に平行なレバー軸８２を中心として、略鉛直状態でアンダーロックプレート７０を前記固定位置にロックするロック位置（図９に示す位置）と、このロックを解除してアンダーロックプレート７０の回動を許容する所定の解除位置（図１０〜図１２に示す位置）との間を回動自在に保持部６０に取り付けられたストッパ部８０ａと；ストッパ部８０ａの回動操作を行うためのレバー部８０ｂと；を有するレバープレート８０と；レバープレート８０を前記解除位置から前記ロック位置に向かう方向に回動付勢する付勢部材８４と；付勢されたレバープレート８０の回動を前記ロック位置で制止する回動規制部９０と；アンダーロックプレート７０をロック位置（図９に示す位置）に回動させたときにベース２１の両面部を押圧可能な押圧部材６４とを有する。
【００３６】
また、前後位置規制部材６２は、フレーム部材６５の先端から所定長さの位置に設けられていることにより、フレーム部材６５の先端部が前後位置規制部材６２の表面（左右位置規制部材６３が固定される表面とは反対側の表面）よりも突出して設けられており、その先端部（サイドプレート部６５ｂの先端部）に、ロック軸７２及びレバー軸８２が支持されている。これらロック軸７２およびレバー軸８２は、フレーム部材６５のサイドプレート部６５ｂを貫通する方向の軸線を有し、前後位置規制部材６２の表面と平行に設けられている。
【００３７】
アンダーロックプレート７０は、ロック軸７２を中心として回動自在にサイドプレート部６５ｂに取り付けられ、前記固定位置に回動されることによりフレーム部材６５のサイドプレート部６５ｂの外側に嵌合するカバーサイドプレート部７０ａと、：このカバーサイドプレート部７０ａがフレーム部材６５のサイドプレート部６５ｂの両側に配置され、前記固定位置に回動させて略水平状態となることにより、フレーム部材６５の下部を閉鎖するアンダープレート部７０ｂと：を有する。この固定位置においては、アンダープレート部７０ｂが、ベース２１の下面部と対向して配置される。
【００３８】
また、アンダープレート部７０ｂは、アンダーロックプレート７０を前記固定位置に回動させたときに、ベース２１の両面部を押圧可能な押圧部材６４を有する。より詳細には、押圧部材６４は、アンダープレート部７０ｂの内面部７０ｃに取り付けられた板バネ（本発明でいう、バネ部材）により構成され、アンダーロックプレート７０が前記固定位置に回動されることにより、板バネ（押圧部材６４）の板バネ作用部６４ａがベース２１の両面部に押圧される構成とされる。
【００３９】
レバープレート８０は、アンダーロックプレート７０のカバーサイドプレート部７０ａの間に配置されている。そして、本実施形態の医療台１０におけるロック機構部５０では、レバープレート８０の回動をロック位置で制止する回動規制部９０は、フレーム部材６５のトッププレート部６５ａの端面により形成されている。
【００４０】
このロック機構部５０において、ロック軸７２を中心とするアンダープレート部７０ｂの内面７０ｃでの接円であってアンダープレート部７０ｂの回動による内面７０ｃの軌跡が形成するロック軌跡円Ｌ１と、ストッパ部８０ａの先端部８０ｃがレバー軸８２を中心として回動することにより形成されるストッパ軌跡円Ｌ２とが交点Ｐ１，Ｐ２にて交わるとともに、前記固定位置におけるアンダープレート部７０ｂとロック軌跡円Ｌ１との接点Ｐ３と前記ロック位置におけるストッパ部８０ａの先端部８０ｃとの間にロック軌跡円Ｌ１とストッパ軌跡円Ｌ２との交点Ｐ１が位置するように、ロック軸７２とレバー軸８２とが平行かつずれて設けられている。
【００４１】
このロック機構部５０において、アンダーロックプレート７０が固定位置に回動され、レバープレート８０が付勢部材８４の付勢によりロック位置に回動されると、アンダーロックプレート７０とレバープレート８０とが互いに回動を制止する回動ロック状態（図９に示す状態）となる。すなわち、この回動ロック状態においては、ストッパ部８０ａは、付勢部材８４により回動規制部（トッププレート部６５ａの端面）９０に押圧されることによって前記ロック位置に保持され、アンダープレート部７０ｂは、フレーム部材６５の下部から離間する方向（図９において時計回り）に回動しようとすると前記ロック位置にあるストッパ部８０ａの先端部８０ｃに内面７０ｃが当接するので前記固定位置に保持される。
【００４２】
この回動ロック状態が解除される際は、図１０に示すように、レバープレート８０が付勢部材８４の付勢力に抗して回動されてストッパ部８０ａの先端部８０ｃが交点Ｐ１を越えてロック軌跡円Ｌ１の内部に入る位置に移動することにより、アンダープレート部７０ｂの回動が自在となる（図１０〜図１２）。なお、アンダーロックプレート７０のアンダープレート部７０ｂの先端には、アンダープレート部７０ｂとレバープレート８０の先端部８０ｃとの間の隙間を隠すように立ち上げ壁７０ｄが形成される。
【００４３】
回動ロック状態の解除について、図８〜図１３を参照して説明する。まず、図９に示す回動ロック状態では、アンダーロックプレート７０が固定位置、レバープレート８０がロック位置に保持されている。このとき、アンダーロックプレート７０は、レバープレート８０によって時計回りの回動が制止されているとともに、反時計回りの回動はフレーム部材６５のサイドプレート部６５ｂやベース２１によって制止されている。そして、図８に示すようにアンダープレート部７０ｂの内面７０ｃに固定された押圧部材６４の板バネ作用部６４ａがベース２１の表面に押圧され、ベース２１を把持しているので、ベース２１とアンダーロックプレート７０とのガタつきが吸収される。
【００４４】
この回動ロック状態から、図１０に示すように、付勢部材８４の付勢力に抗してレバー部８０ｂを押すことにより、レバー軸８２を中心として図中反時計回りにレバープレート８０を回動させる。
【００４５】
図１０に示す解除位置、すなわちストッパ軌跡円Ｌ２に沿って移動する先端部８０ｃが交点Ｐ１を越えてロック軌跡円Ｌ１の内側となる部分（交点Ｐ１と交点Ｐ２との間）に移動するまでレバープレート８０が回動されると、先端部８０ｃが内面７０ｃから離間することにより回動ロック状態が解除され、アンダーロックプレート７０が固定位置から図中時計回りに回動可能となる（図１１）。そして、図１１に示すように、レバープレート８０の先端部８０ｃが交点Ｐ１よりも図中の右側にある状態で、アンダーロックプレート７０を図中の時計回りに回動して、交点Ｐ１よりも接点Ｐ３が図中の左側にある状態とする。この状態においてレバー部８０ｂの操作をやめると、付勢部材８４の付勢力によってレバープレート８０が図中の時計回り（図中左方向）に押されて回動する。この際、レバープレート８０の先端部８０ｃがアンダーロックプレート７０のアンダープレート部７０ｂの内面７０ｃに当接するが、アンダープレート部７０ｂの内面７０ｃとロック軌跡円Ｌ１との接点Ｐ３が交点Ｐ１よりも図中の左側にある状態では、アンダーロックプレート７０の回動が制限されることがないので、アンダーロックプレート７０を続けて時計回りに回動することができる。このように、レバー部８０ｂの操作は、回動ロック状態が解除されるまで、すなわち、レバープレート８０の先端部８０ｃが交点Ｐ１よりも図中の右側にある状態で、アンダーロックプレート７０を、その内面７０ｃの接点Ｐ３が交点Ｐ１よりも図中の左側となる位置まで回動させた状態とするまででよく、その後はレバープレート８０の操作は不要となる。
【００４６】
そして、図１２に示す位置までアンダーロックプレート７０が回動されると、カバーサイドプレート部７０ａが保持部６０の狭持用サイドプレート部６７の外面から外れるとともに、ベース２１の両面部に対する押圧部材６４の板バネ作用部６４ａによる押圧も解除される。
【００４７】
また、図１３に示す位置までアンダーロックプレート７０が回動されると、アンダープレート部７０ｂによって閉鎖されていたフレーム部材６５の下部を開放した状態となる。これにより、アタッチメント３０を上方に持ち上げるだけで、図２に示すようにベース２１からフレーム部材６５を取り外し、アタッチメント３０をベッド１２から取り外すことができる。
【００４８】
なお、図１２に示す状態から図１３に示すようにレバープレート８０の回動操作をやめた状態では、レバープレート８０の先端部８０ｃがアンダーロックプレート７０のアンダープレート部７０ｂの内面７０ｃに当接し、レバープレート８０を回動付勢している付勢部材８４によってアンダーロックプレート７０に時計回りの回動付勢力が作用する。このとき、付勢部材８４はアンダーロックプレート７０を時計回りに回動させるほどの付勢力はないが、アンダーロックプレート７０が反時計回りに回動しようとすることを制止する。そして、アンダーロックプレート７０は、この付勢力及び自身の重量等により、図４に示すようにアンダープレート部７０ｂの下端間がベース２１の長さよりも広い間隔に保持される。
【００４９】
アタッチメント３０をベッド１２に装着する際には、図４および図１３に示すように両端のロック機構部５０のロック状態を解除しておき、両前後位置規制部材６２の間および両左右位置規制部材６３の溝６３ａ内にベース２１が収まるように、支持部２０の上方からフレーム部材６５の下部を下方に向けてアタッチメント３０を取り付け、フレーム部材６５のトッププレート部６５ａ（スペーサ部材６１）をベース２１上に載置する。この状態では、アタッチメント３０は、両前後位置規制部材６２の間にベース２１が配置されることにより、ベース２１の長さ方向（前後方向）に対する位置決めがされ、また、左右位置規制部材６３の溝６３ａ内にベース２１が挿入されることにより、ベース２１の幅方向（左右方向）に対する位置決めがなされ、上下位置規制部材６１がベース２１の上面部に載置されることにより、ベース２１の上下方向に対する位置決めがなされる。次に、アンダーロックプレート７０のアンダープレート部７０ｂを上方に持ち上げるように回動させる。
【００５０】
この状態でアンダーロックプレート７０を図１２中の反時計回りに回動させることにより、レバープレート８０は、アンダープレート部７０ｂの内面７０ｃによって押圧され、付勢部材８４の付勢力に抗して反時計回りに回動される。さらに、図１０に示すようにアンダーロックプレート７０の内面７０ｃが、ストッパ軌跡円Ｌ２の外側になる位置までアンダープレート部７０ｂが回動されると、レバー部８０ｂの先端部８０ｃは内面７０ｃから離間し、ストッパ部８０ａがトッププレート部６５ａの端面９０に当接するまで付勢部材８４の付勢力によって回動される。そして、トッププレート部６５ａの端面９０にストッパ部８０ａが当接することにより、図５および図９に示すように、アンダーロックプレート７０とレバープレート８０とが互いに回動を規制する回動ロック状態となる。
【００５１】
（クラッチ機構部）
また、アタッチメント３０には、前述したように、クラッチ機構部４６が備えられており、このクラッチ機構部４６により、アタッチメント３０をベッド１２に装着した状態において、本体部４４を任意の回動位置に回動することと、その任意の回動位置で固定保持することとが行えるようになっている。
クラッチ機構部４６は、図１及び図７に示すように、支持バー４２と本体部４４との間に設けられる。また、クラッチ機構部４６は、支持バー４２及び本体部４４に対応して、その両側において本体部４４を回転支持する機構とされ、本体部４４の回動に対するロックと解除とを操作する操作部４６ａが、ベース２１の一端側（図１では右側）に設けられている。
【００５２】
操作部４６ａは、図１４及び図１５に示すように、支持バー４２及び本体部４４の長手方向に対向して互いに係合する歯面３３ａ，３４ａを有する前部クラッチ部材３３と後部クラッチ部材３４とを備え、図１５に示すように、これら歯面３３ａ，３４ａの係合を解除して離間させた状態で本体部４４をベッド１２の上面に対して任意の角度に回動させることができる。一方、図１４に示すように、歯面３３ａ，３４ａ同士を係合させた状態で本体部４４を任意の角度で固定することができる。また、クラッチ機構部４６には、前部クラッチ部材３３と後部クラッチ部材３４の歯面３３ａ，３４ａを係合させた状態に保持する固定部材３５が設けられており、固定部材３５によるロック状態を解除する操作を行わない限り、前部クラッチ部材３３と後部クラッチ部材３４との歯面３３ａ，３４ａ同士の係合状態が維持されるので、本体部４４を任意の角度で固定することができる。
【００５３】
詳細には、図１４及び図１５に示すように、操作部４６ａの前部クラッチ部材３３は、フレーム部材６５の一端側（図１４及び図１５の右側）に配置された前後位置規制部材６２に固定されており、前後位置規制部材６２を介して支持バー４２と一体化されている。一方、後部クラッチ部材３４は、本体部４４に固定され、本体部４４と一体化されている。また、前部クラッチ部材３３と後部クラッチ部材３４とは、歯面３３ａ，３４ａを対向させた状態で固定軸３６に取り付けられている。前部クラッチ部材３３は、前述したように、前後位置規制部材６２に固定されているため移動させることができないが、後部クラッチ部材３４は固定軸３６をガイドにして前部クラッチ部材３３に対して進退移動可能に設けられている。また、固定軸３６の先端側には雌ねじ部３６ａが設けられており、図１４及び図１５に示すように、固定部材３５が雄ねじ軸３５ａを螺合させることにより取り付けられる。
一方、フレーム部材６５の他端側（図１４及び図１５の左側）は、前後位置規制部材６２に固定された固定軸３７と、本体部４４に固定されたスライド筒部３８とを備える。これにより、本体部４４及びスライド筒部３８が、固定軸３７をガイドにして前後位置規制部材６２に対して進退移動可能に設けられている。
【００５４】
このクラッチ機構部４６においては、操作部４６ａにおいて固定部材３５を締め込むことで、固定部材３５のノブ部３５ｂが本体部４４を押し込むとともに後部クラッチ部材３４が前部クラッチ部材３３に向けて押し込まれる。なお、本体部４４の他端側においては、固定部材３５が締め込まれることにより、本体部４４が前後位置規制部材６２から離れる方向に移動する。そして、後部クラッチ部材３４が前部クラッチ部材３３に向けて押し込まれることにより、前部クラッチ部材３３の歯面３３ａと後部クラッチ部材３４の歯面３４ａとを係合させることができ、すなわち互いの歯面３３ａ，３４ａ同士が係合することにより、本体部４４が任意の角度で固定される。
【００５５】
一方、固定部材３５を緩めると、固定部材３５のノブ部３５ｂと本体部４４との間に隙間を設けることができるので、その分だけ本体部４４と一体に設けられる後部クラッチ部材３４を前部クラッチ部材３３から引き離す方向に移動させることができる。なお、他端側においては、本体部４４が前後位置規制部材６２に近づく方向に移動する。このように、後部クラッチ部材３４を前部クラッチ部材３３から引き離す方向に移動させることにより、前部クラッチ部材３３の歯面３３ａと後部クラッチ部材３４の歯面３４ａとの係合を解除することができるので、本体部４４を固定軸３６，３７回りに任意の角度に回動させることができる。
【００５６】
なお、本実施形態のクラッチ機構部４６においては、後部クラッチ部材３４を手動で移動させることにより歯面３３ａ，３４ａ同士の係合を解除することとしていたが、例えば前部クラッチ部材３３と後部クラッチ部材３４とを相互に引き離すバネ等を設けることによって、固定部材３５を緩めた際に、前部クラッチ部材３３と後部クラッチ部材３４とを自動的に離間させるようにしてもよい。
【００５７】
以上説明したように、本発明の実施形態に係る医療台１０によれば、ベッド１２側部に対してサイドフェンスなどのアタッチメント３０を正確に位置決めして容易に着脱可能とするとともに、取り付けられたアタッチメント３０を確実に固定できる。  また、左右位置規制部材６３を前後位置規制部材６２に溶接、すなわち左右位置規制部材６３を前後位置規制部材６２に固定していることから、左右位置規制部材６３を前後位置規制部材６２から離して配置した場合よりも、左右位置規制部材６３の剛性を上げることができ、ベース２１上への載置の際に左右位置規制部材６３にねじれ等の力が加わった場合においても、左右位置規制部材６３の変形を抑制することができる。
なお、上記実施形態においては、左右位置規制部材６３と前後位置規制部材６２とを溶接することにより固定していたが、固定方法は溶接に限られるものではない。
【００５８】
図１６〜図２０は、本発明の第２実施形態の医療台におけるアタッチメント３０の保持部６０及びロック機構部５０の断面図を示している。第２実施形態において、クラッチ機構部４６等の構成要素は、第１実施形態と同じものが用いられることから、説明を省略するとともに、各図において、第１実施形態と共通要素には同一符号を付して説明を省略する。
【００５９】
（保持部）
第２実施形態の医療台においても、保持部６０は、図１６〜図２０に示すように、第１実施形態と同様に、ベース２１上に載置される保持部６０は、ベース２１上に搭載されたときに、ベース２１に対して上下方向の位置を規制する上下位置規制部材６１と、ベース２１に対して前後方向の位置を規制する前後位置規制部材６２と、ベース２１に対して左右方向の位置を規制する左右位置規制部材６３とを備える。これら上下位置規制部材６１、前後位置規制部材６２及び左右位置規制部材６３は、支持バー４２に固定されたフレーム部材６５を介して、支持バー４２に取り付けられている。また、フレーム部材６５のトッププレート部６５ａの内面に、天板部材６６が固定されている。この天板部材６６には、保持部６０がベース上に載置されたときにベース２１の両面部に対向して配置される挟持用サイドプレート部６７が溶接により固定されている。また、天板部材６６には、挟持用サイドプレート部６７に突没自在に取り付けられてベース２１の両面部を押圧可能な押圧部材６９を離間させるように付勢するバネ部材６８が、ビス状の上下位置規制部材６１を介して固定されている。
そして、これら一体に形成された天板部材６６及び挟持用サイドプレート部６７の一端が前後位置規制部材６２の表面に固定されており、天板部材６６及び挟持用サイドプレート部６７の他端に左右位置規制部材６３が固定され、前後位置規制部材６２と左右位置規制部材６３とを離間して設けるとともに、これら前後位置規制部材６２と左右位置規制部材６３との間に上下位置規制部材６１を配置することとしている。
【００６０】
この場合においても、保持部６０がベース２１上に載置されたときに、ベース２１の上面部が上下位置規制部材６１に当接することにより、アタッチメント３０は、ベース２１に対して上下方向の位置決めがなされ、ベース２１の端面部を前後位置規制部材６２に当接させることにより、アタッチメント３０がベース２１に対して長さ方向（前後方向）の位置決めがなされ、ベース２１を左右位置規制部材６３の溝６３ａ内に挿入することにより、アタッチメント３０は、ベース２１に対して幅方向（左右方向、ベース２１の厚み方向）の位置決めがなされるようになっており、上下位置規制部材６１と前後位置規制部材６２と左右位置規制部材６３とを組み合わせることにより、医療台１０本体に対してアタッチメント３０が所定の位置に保持されるようになっている。
【００６１】
（ロック機構部）
ロック機構部５０は、図１６〜図２０に示すように、第１実施形態と同様に、ベース２１を保持した状態に保持部６０を固定するアンダーロックプレート７０と、保持部６０を固定した状態にアンダーロックプレート７０をロックするレバープレート８０と、レバープレート８０を回動付勢する付勢部材８４と、付勢されたレバープレート８０の回動範囲を規制する回動規制部９０とを備え、さらに、保持部６０がベース２１上に載置されたときに、ベース２１の両面部に対向して配置される挟持用サイドプレート部６７と、この挟持用サイドプレート部６７に突没自在に取り付けられてベース２１の両面部を押圧可能な押圧部材６９と、押圧部材６９を離間させるように付勢するバネ部材６８とから構成される。すなわち、第１実施形態においては、押圧部材は、アンダーロックプレート７０に設けられていたが、第２実施形態においては、押圧部材６９が挟持用サイドプレート部６７に設けられる。そして、挟持用サイドプレート部６７は、天板部材６６に固定されるとともに、フレーム部材６５に固定される。
【００６２】
このロック機構部５０において、図１６及び図１９に示すように、アンダーロックプレート７０が固定位置に回動され、カバーサイドプレート部７０ａが挟持用サイドプレート部６７の外側に嵌合した際には、押圧部材６９が挟持用サイドプレート部６７によって内方に突出させられ、ベース２１に押圧されるので、押圧部材６９によりベース２１とアンダーロックプレート７０との間のガタつきを吸収することができる。
一方、アンダーロックプレート７０を固定位置から図中の時計回りに回動されると、図１７及び図１８に示すように、カバーサイドプレート部７０ａが挟持用サイドプレート部６７の外面から外れるとともに、ベース２１の両面部に対する押圧部材６９の押圧も解除される。
【００６３】
以上説明したように、本発明の実施形態に係る医療台１０によれば、ベッド１２側部に対してサイドフェンスなどのアタッチメント３０を容易に着脱可能とするとともに、取り付けられたアタッチメント３０を確実に固定できる。
【００６４】
なお、本発明は前記実施形態の構成のものに限定されるものではなく、細部構成においては、本発明の趣旨を逸脱しない範囲において種々の変更を加えることが可能である。
【００６５】
例えば、前記実施形態では、ベース２１を図８及び図１９等に示すように角柱状に形成していたが、ベース２１の形状はこれに限定されるものではない。ベース２１を他の形状で形成した場合であっても、保持部６０を構成する上下位置規制部材６１、前後位置規制部材６２及び左右位置規制部材６３により、互いに直交する第１〜第３の軸方向（上下方向、前後方向、左右方向）を規定して、アタッチメント３０の各軸方向への動きを規制することが可能である。
また、前記実施形態ではレバープレート８０をレバー軸８２を中心として回動する構成としたが、アンダーロックプレートをロックするロック位置とそのロックを解除する解除位置との間で直線移動する（例えば、レバープレートを前後方向にスライド可能に支持し、図９に示すようにアンダーロックプレートをロックした状態から、レバープレートを図中右方向に移動させることにより、ロックを解除する）構成としてもよい。
【００６６】
また、ベッド１２の側部にベース２１を設けて、アタッチメント３０をベッド１２の側部に着脱する構成としたが、ベッドに寝た患者の足の先に配置されるフットボード、又は頭の上に配置されるヘッドボードにベースを設けて、アタッチメントを着脱できるように構成してもよい。したがって、ベースはベッドの周縁部の一部に設けられる。
【符号の説明】
【００６７】
１０  医療台
１２  ベッド
２０  支持部
２１  ベース
２２  支持棒部
３０  アタッチメント
３３  前部クラッチ部材
３４  後部クラッチ部材
３３ａ，３４ａ  歯面
３５  固定部材
３５ａ  雄ねじ軸
３５ｂ  ノブ部
３６，３７  固定軸
３６ａ  雌ねじ部
３８  スライド筒部
４０  機能部
４２  支持バー
４２ａ  マット
４４  本体部
４６  クラッチ機構部
４６ａ  操作部
５０  ロック機構部
６０  保持部
６１  上下位置規制部材
６２  前後位置規制部材
６３  左右位置規制部材
６３ａ  溝
６３ｂ  面取り部
６４，６９  押圧部材
６４ａ  板バネ作用部
６５  フレーム部材
６５ａ  トッププレート部
６５ｂ  サイドプレート部
６６  天板部材
６７  挟持用サイドプレート部
６８  バネ部材
７０  アンダーロックプレート
７０ａ  カバーサイドプレート部
７０ｂ  アンダープレート部
７０ｃ  内面
７０ｄ  立ち上げ壁
７２  ロック軸
８０  レバープレート
８０ａ  ストッパ部
８０ｂ  レバー部
８０ｃ  先端部
８２  レバー軸
８４  付勢部材
９０  回転規制部（端面）
【図１】
0006444212.tif 000002
【図２】
0006444212.tif 000003
【図３】
0006444212.tif 000004
【図４】
0006444212.tif 000005
【図５】
0006444212.tif 000006
【図６】
0006444212.tif 000007
【図７】
0006444212.tif 000008
【図８】
0006444212.tif 000009
【図９】
0006444212.tif 000010
【図１０】
0006444212.tif 000011
【図１１】
0006444212.tif 000012
【図１２】
0006444212.tif 000013
【図１３】
0006444212.tif 000014
【図１４】
0006444212.tif 000015
【図１５】
0006444212.tif 000016
【図１６】
0006444212.tif 000017
【図１７】
0006444212.tif 000018
【図１８】
0006444212.tif 000019
【図１９】
0006444212.tif 000020
【図２０】
0006444212.tif 000021